(57)【特許請求の範囲】
【請求項１】
温水を噴出する洗浄ノズルと、該洗浄ノズルに温水を供給する流路と、該流路に設けられた水量調節手段とを有する温水洗浄装置において、
該水量調節手段は、手動ダイヤルの操作及びリモコンのスイッチ操作のいずれによっても水量調節動作するものである温水洗浄装置であって、
該水量調節手段は、手動ダイヤルによって操作される手動式の水量調節弁と、電動式の水量調節弁とを有しており、
該ダイヤルを所定位置まで回すとリモコンによる該電動式の水量調節弁の操作が可能となることを特徴とする温水洗浄装置。
【発明の詳細な説明】
【０００１】
【発明の属する技術分野】
本発明は、便器使用者の臀部を温水で洗浄する温水洗浄装置に係り、特に手動ダイヤル及びリモコンのいずれによっても水量調節操作することができる温水洗浄装置に関する。
【０００２】
【従来の技術】
手動ダイヤルによって温水の噴出量を調節するようにした温水洗浄装置の従来例について第２図を参照して説明する。第２図（ａ）は、温水洗浄装置を備えた洋風便器を示す斜視図、第２図（ｂ）はスイッチパネルの平面図である。
【０００３】
便座ボックス１０は、洋風便器１１の便鉢の後部上面に設置される本体１２と、本体１２から張り出す張出部１３とを有し、この張出部１３の上面にスイッチパネル（銘板）１４が設けられている。
【０００４】
便座ボックス本体１２には、肛門洗浄ノズル（シャワーノズル）１５、ビデ洗浄ノズル（ビデノズル）１６及び温風乾燥ファン（図示略）等が設けられている。また、この本体１２には、便座１７、便蓋１８が上下方向に回動可能に取り付けられている。１９は洋風便器１１の最後部上面に設置されたロータンクを示す。
【０００５】
張出部上面のスイッチパネル１４には、第２図（ｂ）に示す如く、肛門洗浄（シャワー洗浄）、ビデ洗浄、温風乾燥等の作動をストップさせるストップスイッチ２０、肛門洗浄用操作スイッチ（シャワースイッチ）２１、ビデ洗浄用操作スイッチ（ビデスイッチ）２２、温風を吹き出させるドライスイッチ２３、洗浄の広がりを調整するためのワイド洗浄入／切スイッチ２４、洗浄位置前進スイッチ２５、その後退スイッチ２６、便座の温度を調整するための便座温度調節スイッチ２７、洗浄強さを調整するダイヤル２８、シャワー等の水温を調整する温水温度調節スイッチ２９等が配置されている。このダイヤル２８は水量調節弁の弁軸先端に固着されている。
【０００６】
このスイッチ２１又は２２を押すとノズル１５又は１６から温水が噴出し、便座１７に着座した人体の臀部が温水で洗浄される。この温水の噴出量は、ダイヤル２８を回すことによって調節される。
【０００７】
このダイヤル２８の操作によって水量調節を行うタイプのものは、使用法が簡明であり、またトイレルーム内の照明が故障している場合等であっても操作し易いという長所を有する。
【０００８】
【発明が解決しようとする課題】
本発明は、この操作が容易な水量調節用の手動ダイヤルを有した温水洗浄装置において、必要に応じリモコンも併設することが可能な温水洗浄装置を提供することを目的とする。
【０００９】
【課題を解決するための手段】
本発明の温水洗浄装置は、温水を噴出する洗浄ノズルと、該洗浄ノズルに温水を供給する流路と、該流路に設けられた水量調節手段とを有する温水洗浄装置において、該水量調節手段は、手動ダイヤルの操作及びリモコンのスイッチ操作のいずれによっても水量調節動作するものである温水洗浄装置であって、該水量調節手段は、手動ダイヤルによって操作される手動式の水量調節弁と、電動式の水量調節弁とを有しており、該ダイヤルを所定位置まで回すとリモコンによる該電動式の水量調節弁の操作が可能となることを特徴とするものである。
【００１０】
かかる温水洗浄装置は、手動ダイヤル及びリモコンのいずれによっても水量調節でき、きわめて使い易い。
【００１１】
本発明にあっては、水量調節手段は、手動ダイヤルによって操作される手動式の水量調節弁と、電動式の水量調節弁とを有しており、該ダイヤルを所定位置まで回すとリモコンによる該電動式の水量調節弁の操作が可能とされる。
【００１２】
【発明の実施の形態】
以下、図面を参照して実施の形態について説明する。第１図は第１の実施の形態に係る温水洗浄装置を示すものであり、（ａ）図はそのブロック図、（ｂ）図はリモコンの正面図、（ｃ）図はダイヤルの部分の平面図、（ｄ）図はダイヤルの斜視図である。
【００１３】
この温水洗浄装置は、洋風便器の便座ボックス内に設置される電磁弁３０、手動式の水量調節弁３２、温水タンク３４、モータ３６ｍによって弁開度が調節される電動式の水量調節弁３６、電動式の三方弁３８、シャワーノズル１５、ビデノズル１６を備えている。
【００１４】
電磁弁３０、水量調節弁３２，３６及び三方弁３８は弁制御回路４４によって制御される。温水タンク３４のヒータ３４ａは水温制御回路４６によって制御される。
【００１５】
弁制御回路４４には、第２図に示したものと同様の便座ボックスの張出部に設けられたシャワースイッチ２１、ビデスイッチ２２及びストップスイッチ２０から信号が入力され、水温制御回路４４には温水温度調節スイッチ２９から信号が入力される。
【００１６】
さらに、これらの制御回路４４，４６には、リモコン５０からの赤外線等による制御信号が受光回路４８を介して入力される。このリモコン５０には、シャワースイッチ５２，５４，５６、ビデスイッチ５８，６０，６２、ストップスイッチ６４、温水温度調節スイッチ６６、液晶表示パネル６８が設けられている。シャワースイッチ５２及びビデスイッチ５８は少量の温水を噴出させ、シャワースイッチ５６及びビデスイッチ６２は多量の温水を噴出させ、シャワースイッチ５４及びビデスイッチ６０は中間量の温水を噴出させる。
【００１７】
手動式の水量調節弁３２の弁軸３２ａにはダイヤル２８が取り付けられている。このダイヤル２８を回すと、水量調節弁３２の開度が調節される。
【００１８】
このダイヤル２８を時計回り方向に回すと水量調節弁３２の開度が増大する。「強」即ち弁３２の略全開状態よりもさらに時計回り方向に回すと、ダイヤル２８はリモコンモードになる。このリモコンモードにあっては、弁３２は全開状態にあり、且つリーフスイッチ７０がＯＮとなり、このＯＮ信号が弁制御回路４４に入力される。なお、ダイヤル２８をリモコンモードまで回すと、弁軸３２ａの凹部３２ｂ以外の周面がリーフスイッチ７０に当り、リーフスイッチ７０がＯＮとなる。それ以外の状態にあっては凹部３２ｂがリーフスイッチ７０に対面し、リーフスイッチ７０の切点が開となり、リーフスイッチ７０はＯＦＦ状態にある。
【００１９】
このように構成された温水洗浄装置においては、シャワースイッチ２１又はビデスイッチ２２を押すと電磁弁３０が開弁し、シャワーノズル１５又はビデノズル１６から温水が噴出する。
【００２０】
この温水噴出中にダイヤル２８を回して水量調節弁３２の開度を調節することにより、このノズル１５又は１６からの温水噴出量即ち洗浄強さが調節される。ストップスイッチ２０を押すとこの温水噴出が停止される。
【００２１】
ノズル１５又は１６が吐水状態及び止水状態のいずれの状態においても、ダイヤル２８を、「強」を通り越して「リモコン」モードの位置まで回すと、リモコン５０によって水量調節弁３６の開度調節が可能となる。ダイヤル２８を「リモコン」まで回した状態にあっては、手動式水量調節弁３２は全開状態にあり、弁３６の開度が調節されることによりノズル１５又は１６からの噴出水量が調節される。
【００２２】
リモコン５０においてスイッチ５２又は５８を押すと比較的少量の温水がノズル１５又は１６から噴出し、弱洗浄が行われ、スイッチ５４又は６０を押すと中間強さの洗浄が行われ、スイッチ５６又は６２を押すと強洗浄が行われる。ストップスイッチ６４又は２０を押すと、ノズル１５又は１６からの温水噴出が停止する。
【００２３】
ダイヤル２８を「リモコン」モードから弱〜強の間の位置へ戻すと、リモコン５０によるコントロールが停止され、便座ボックスのスイッチによってのみ温水洗浄装置が制御されるようになる。
【００２４】
なお、便座ボックスの温水温度制御スイッチ２９を操作することにより噴出温水の温度が調節される。ダイヤル２８によって「リモコン」を選択しているときにはリモコン５０の温水温度制御スイッチ６６によっても温水温度を調節できる。
【００２５】
なお、本発明では、ノズル１５，１６としては、水圧が加えられるとノズル本体がシリンダから前進し、該ノズル本体の先端から温水が噴出するタイプのものであってもよく、モータによってノズル本体が前後進するタイプのものであってもよい。
【００２６】
第３図は本発明の参考例に係る温水洗浄装置のブロック図である。この実施の形態にあっては、手動式の水量調節弁３２が省略され、電動式の水量調節弁３６のみが設置されている。なお、第３図ではこの弁３６が温水タンク３４の上流側に設置されているが、温水タンク３４の下流側に設置されてもよい。
【００２７】
また、この参考例にあっては、ダイヤル２８にボリューム７２等の信号発生器が連結されている。ダイヤル２８を回すと、ボリューム７２の抵抗が変化し、この変化に応じて弁制御回路４４が水量調節弁３６の開度を制御する。
【００２８】
この参考例にあっては、ダイヤル２８の回動位置（位相）の如何に関らずリモコン５０によって洗浄強さ及び噴出温水温度を調節可能である。
【００２９】
便座ボックス側のスイッチで２０又は２１で洗浄を開始し、ダイヤル２８で洗浄強さを調節した後にリモコン５０側のスイッチ５２〜６２を操作したときには、このリモコン５０側で選択された洗浄強さに切り替わる。逆に、リモコン５０のスイッチ５２〜６２で洗浄（温水噴出）を開始した後にダイヤル２８を回すと、該ダイヤル２８で選定した洗浄強さとなるように水量調節弁３６の開度が制御される。
【００３０】
制御の停止は、いつでも、便座ボックス側のストップスイッチ２０及びリモコン５０のストップスイッチ６４のいずれによっても可能である。
【００３１】
第３図のその他の構成は第１図（ａ）と同一であり、同一符号は同一部分を示している。
【００３２】
【発明の効果】
以上の通り、本発明によるダイヤルによって洗浄強さを調節するようにした温水洗浄装置においてリモコンを併設しリモコンによっても洗浄強さを調節することが可能となる。従って、ダイヤルによって洗浄強さを調節するタイプの温水洗浄装置に、オプションによってリモコンを付加することが可能となる。
【図面の簡単な説明】
【図１】  第１の実施の形態を示す説明図である。
【図２】  従来例を示す説明図である。
【図３】  参考例を示す説明図である。
【符号の説明】
１０  便座ボックス
１１  洋風便器
１３  張出部
１４  スイッチパネル
２０  ストップスイッチ
２１  シャワースイッチ
２２  ビデスイッチ
２８  ダイヤル
２９  温水温度調節スイッチ
３０  電磁弁
３２，３６  水量調節弁
３４  温水タンク
５０  リモコン
５２，５４，５６  シャワースイッチ
５８，６０，６２  ビデスイッチ
６４  ストップスイッチ
６６  温水温度調節スイッチ
７０  リーフスイッチ
７２  ボリューム
【図１】
0004081949.tif 000002
【図２】
0004081949.tif 000003
【図３】
0004081949.tif 000004